(57)【要約】【課題】空気圧縮器の出口管が異なる角度位置又は方向に調節され且つ空気圧縮器が多様なレセプタクル内に取り付けられ或いは収容されることを可能にするための取り外し可能な或いは可変な構造を含む空気圧縮器を提供する。【解決手段】空気圧縮機は、シリンダハウジング内に摺動可能に収容されたピストンと、加圧空気を発生するためにピストンを往復動作でシリンダハウジングに対して移動するようピストンに結合されたモータとを含む。カバーが、シリンダハウジングの頂部上に取り外し可能に固定され、カバーは、シリンダハウジングからの加圧空気を受容するために、シリンダハウジングと連絡する区画を有する出口管を含み、且つ、逆止弁装置によって閉塞される入口を含む。入口をシリンダハウジングに対する異なる位置に調節するために、並びに、入口が物体によってよって閉塞されるのを防止するために、カバーをシリンダハウジングに対して調節し且つ固定し得る。【選択図】図１
2007309174.tif 000002
【特許請求の範囲】
【請求項１】
内部に形成された室を含み、且つ、周壁によって定められるシリンダハウジングと、
該シリンダハウジングの前記室内に摺動可能に収容され、且つ、そこから延びるピストンロッドを有するピストンと、
加圧空気を発生するために、該ピストンを前記シリンダハウジングに対して往復動作で移動するよう、前記ピストンロッドに結合されたモータと、
前記シリンダハウジングの前記室から前記加圧空気を受容するために、前記シリンダハウジングの頂部に取り外し可能に固定され、且つ、その内部に形成され且つ前記シリンダハウジングの前記室と連絡する区画を有する出口管を含むカバーとを含み、
前記出口管は、前記出口管の前記区画からの前記加圧空気を受容するために、前記出口管から延び且つ前記出口管の前記区画と連絡するポートを含む、
空気圧縮機。
【請求項２】
前記シリンダハウジングは、開放された頂部を含み、前記カバーは、前記シリンダハウジングの前記室を密閉し且つ閉塞するために、前記シリンダハウジングの前記頂部上に取り外し可能に固定され、前記シリンダハウジングは、その外周部分の上に設けられた少なくとも２つのスタッドを含み、前記カバーは、前記カバーを前記シリンダハウジングの前記頂部上に調節可能に固定するために、その内部に形成され且つ前記シリンダハウジングの前記少なくとも２つのスタッドと選択的に整列する少なくとも２つの耳を含む、請求項１に記載の空気圧縮機。
【請求項３】
前記シリンダハウジングを支持するために延びるアームを有するプレートを含む支持ベースをさらに含み、前記モータは、前記プレートに取り付けられ、且つ、前記プレートを通じて延びるスピンドルを含み、前記ピストンを前記シリンダハウジングに対して往復動作で移動するために、偏心部材が、前記モータの前記スピンドルに結合され、且つ、そこから延び且つ前記ピストンロッドに結合されたピンを有し、前記プレートは、そこに回転可能に取り付けられ、且つ、軸を用いて前記プレートに回転可能に取り付けられたギアを含み、前記偏心部材は、前記軸に固定され、且つ、そこから延びる前記ピンを有し、前記ピストンは、その内部に形成されたボアと、前記ピストンに固定された弁装置とを含むことで、前記ピストンの前記ボアを閉塞し、且つ、前記外部空気が前記シリンダハウジングの前記室に流入するよう制御し、前記カバーは、前記ピストンが前記カバーの方向に移動するときに、前記シリンダハウジングの前記室の内部空気が前記出口管の前記区画に流入するよう制御し、且つ、前記ピストンが前記カバーから離れる方向に移動するときに、前記内部空気が前記出口管の前記区画から流出するのを防止する逆止弁を含み、前記出口管は、その内部に設けられた弁座を含み、前記逆止弁は、前記加圧空気が前記シリンダハウジングの前記室から前記出口管の前記区画に流入するよう制御し、且つ、前記加圧空気が前記出口管の前記区画から前記シリンダハウジングの前記室に逆方向に流入するのを防止するために、前記出口管内に配置され且つ前記弁座と係合し、前記カバーは、弁装置を含むことで、前記ピストンが前記カバーから離れる方向に移動するときに、外部空気が前記シリンダハウジングの前記室に流入するよう制御し、且つ、前記ピストンが前記カバーの方向に移動するときに、前記内部空気が前記弁装置を通じて前記シリンダハウジングの前記室から流出するのを防止し、前記カバーは、その内部に形成された入口を含み、前記弁装置は、前記カバーの前記入口を閉塞するために、並びに、前記外部空気が前記シリンダハウジングの前記室に流入するよう制御するために前記カバーに固定され、前記カバーは、前記弁装置を受容するために、その内部に形成され且つ前記入口と連絡する凹部を含み、前記カバーは、そこから延びるキャッチを含み、前記弁装置は、前記カバーの前記キャッチに固定された第一端部を含み、前記カバーは、封止リングを収容するために、前記シリンダハウジングの前記周壁を部分的に受容するために、並びに、前記カバーと前記シリンダハウジングとの間の気密封止をなすために、その内部に形成された周縁スロットを含む、請求項１に記載の空気圧縮機。
【請求項４】
前記シリンダハウジングは、前記室の上部を密閉するために、その上に設けられた上壁を含み、該上壁は、その内部に形成され且つ周縁フェンスによって定められる中心開口を含み、前記カバーは、前記内部空気が前記シリンダハウジングの前記室から前記出口管の前記区画に流入するよう制御するために、前記シリンダハウジングの前記頂部上に固定され、且つ、前記出口管の前記区画に係入し且つ前記周縁フェンスと係合するよう付勢された逆止弁を含み、前記上壁は、その内部に形成された入口を含み、前記上壁の前記入口を閉塞するために、並びに、前記外部空気が前記シリンダハウジングの前記室に流入するよう制御するために、弁装置が前記上壁に固定された、請求項１に記載の空気圧縮機。
【請求項５】
前記出口管の前記ポートに結合されたカプラをさらに含み、該カプラは、第一ダクトと、第二ダクトと、前記出口管の前記区画からの前記加圧空気を受容するために、前記カプラから外向きに延び且つ前記出口管の前記区画と連絡する少なくとも１つの第三ダクトと、前記第一ダクトに取り付けられた圧力計と、前記第二ダクトに取り付けられたノズルと、前記少なくとも１つのダクトに取り付けられた弁とを含み、前記カプラは、前記出口管の前記ポートに結合されたホースを含む、請求項１に記載の空気圧縮機。
【発明の詳細な説明】
【技術分野】
【０００１】
本発明は空気圧縮機に関し、より詳細には、空気圧縮機の出口管が異なる角度位置又は方向に調節されることを可能にし、且つ、空気圧縮機が多様なレセプタクル内にに取り付けられ或いは収容されることを可能にするために、取り外し可能な或いは可変な構造を有する空気圧縮機に関する。
【背景技術】
【０００２】
典型的な空気圧縮機は、ベースに取り付けられ或いは固定され且つその内部に摺動可能に配置されたピストンを有するシリンダハウジングと、シリンダハウジングのピストンを往復運動で作動又は駆動するために、ベースに固定され且つシリンダハウジングのピストンに結合されたモータとを含む。
【０００３】
本出願人は、多様な種類の典型的な空気圧縮機、例えば、Ｃｈｏｕに発効した米国特許第６，８４６，１６２号を開発した。この空気圧縮器も、シリンダハウジング内に摺動可能に配置され且つシリンダハウジングに沿って或いはシリンダハウジングに対して往復運動で大きな速度で摺動可能なピストンと、シリンダハウジングから延び且つシリンダハウジングと一体的に形成された出口管とを含み、出口管は、そこからの加圧空気を受容するために、出口管から外向きに延びる１つ又はそれ以上のダクトを有する。
【０００４】
圧力ゲージ、空気ノズル、安全弁、逃し弁等のような、加圧空気の供給を必要とする多様な種類の装備にダクトを結合し得る。しかしながら、出口管及びダクトは、シリンダハウジングと一体的に形成されるので、出口管及びダクトは全体で大きな容積を含み得るし、シリンダハウジングに対する異なる方向又は位置に調節され得ないので、シリンダハウジング及び出口管及びダクトは、外部レセプタクル又はパッケージ又は類似物の幾つかに適切に係入され或いは収容され得ない。
【発明の開示】
【発明が解決しようとする課題】
【０００５】
本発明は、従来的な空気圧縮器の前述の不利点を緩和及び／又は除去するために生まれた。
【課題を解決するための手段】
【０００６】
本発明の主要な目的は、空気圧縮器の出口管が異なる角度位置又は方向に調節され、且つ、空気圧縮器が多様なレセプタクル内に取り付けられ或いは収容されることを可能にするための取り外し可能又は可変な構造を含む空気圧縮器を提供することである。
【０００７】
本発明のさらなる目的及び利点は、添付の図面を適当に参照しながら、以下に提供される詳細な記載を注意深い判読することから明らかになるであろう。
【発明を実施するための最良の形態】
【０００８】
図面、先ず図１乃至８を参照すると、本発明に従った空気圧縮器は、その下部１３に形成された開口１２を有し、その上部１５に形成されたオリフィス１４を有し（図５，８）、且つ、その上部１５から横方向に延びるアーム１６を有するプレート１１を含む支持ベース１０と、アーム１６上に設けられ或いはアーム１６から延びた、好ましくはアーム１６及びプレート１１と一体的に形成されたシリンダハウジング１７とを含むが、シリンダハウジング１７は、プレート１１から分離され、例えばファスナ９９（図８）を用いて、プレート１１に取り外し可能に固定されてもよい。
【０００９】
シリンダハウジング１７は、その内部に形成され（図２乃至４）、開放された頂部（図２）及び開放された底部（図３，４）を有し、且つ、その内部にピストン７０を摺動可能に収容するために、周壁１９（図２）によって定められた室１８を含む。ピストン７０はシリンダハウジング１７の室内に摺動可能に収容され、ピストン７０がシリンダハウジング１７の室１８内を往復動作で摺動し、且つ、加圧空気を発生するのを許容するために、そこから延びた延長部又はピストンロッド７１を含む。ピストン７０とシリンダハウジング１７との間の気密封止をなすために、ピストン７０は、その外周部分に取り付けられ或いは固定され且つシリンダハウジング１７と摺動可能に係合する封止リング７２を含む。
【００１０】
シリンダハウジング１７は、その室１８の開放された頂部を密閉又は閉塞するために、ファスナ９０のようなものを用いてその頂部に取り外し可能に固定されたカバー２０を含み（図２乃至４）、カバー２０とシリンダハウジング１７との間の気密封止をなすために、封止リング９１がカバー２０とシリンダハウジング１７との間に配置され且つ係合されている。封止リング９１を収容し且つシリンダハウジング１７の周壁１９を部分的に受容するために、カバー２０は、例えば、その底部分に形成された周縁スロット９２を含む。カバー２０は、その頂部から上向き又は外向きに延びる出口管２１を含み、シリンダハウジング１７の室１８からの加圧空気を受容するために、その内部に形成され且つシリンダハウジング１７の室１８と連絡する区画２２を有する。
【００１１】
内部空気がシリンダハウジング１７の室１８から出口管２１の区画２２だけに流入するよう制御し、且つ、内部空気が出口管２１の区画２２からシリンダハウジング１７の室１８内に逆向きに流れるのを防止するために、バネ付勢された逆止弁２４（図２乃至４）が、出口管２１内に配置され、且つ、出口管２１とカバー２０又はシリンダハウジング１７との間に形成され或いは設けられた弁座２６と係合され得る。出口管２１の区画２２を閉塞又は密閉し、且つ、バネ付勢された逆止弁２４を出口管２１の区画２２内に安定的に保持するために、キャップ２７がネジ係合のようなものを用いて出口管２１の外端部又は自由端部に取り付けられている。
【００１２】
シリンダハウジング１７及び出口管２１内の空気圧力が過加圧されるとき或いは空気圧力が所定値に到達したときに加圧空気を逃がすために、キャップ２７が出口管２１の外端部又は自由端部から離脱されるときに、逃し弁又は安全弁（図示せず）が出口管２１にさらに設けられ或いは取り付けられ得る。よって、バネ付勢された逆止弁２４を、加圧空気がシリンダハウジング１７の室１８から出口管２１の区画２２内に流入するよう制御し、且つ、加圧空気が出口管２１の区画２２からシリンダハウジング１７の室１８内に逆向きに流れるのを防止する制御手段として用い得る。
【００１３】
出口管２１の区画２２から加圧空気を受容するために、カバー２０は、そこから延び且つ出口管２１の区画２２と連絡するポート２５をさらに含む。カプラ８５がさらに設けられ、加圧空気の供給を必要とする多様な種類の装備への結合のために、そこから外向きに延びる１つ又はそれ以上のダクト２８，２９，３０，３１を含む。ダクト２８，２９，３０，３１が用いられる必要がないときに、ダクト２８，２９，３０，３１を選択的に密閉又は閉塞するために、ネジ係合又は圧力嵌め係合のようなものを用いて、１つ又はそれ以上のリッド（図示せず）をダクト２８，２９，３０，３１のいずれかにさらに設け且つ取り付け或いは固定し得る。
【００１４】
例えば、カバー２０のポート２５を介して出口管２１の区画２２からの加圧空気を受容するために、ホース８８のようなものを用いて、カプラ８５の１つのダクト３１をカバー２０のポート２５に結合し得る。シリンダハウジング１７及び／又は出口管２１内の空気圧力を検出し且つ表示するために、１つのダクト２８に圧力計３３を設け且つ取り付け得る。ノズル３４を用いて、加圧空気がシリンダハウジング１７の室１８及び出口管２１の区画２２から加圧空気の供給を必要とする多様な装備に供給されるのを許容するために、ノズル３４を他のダクト２９に設け且つ取り付け得る。
【００１５】
シリンダハウジング１７及び／又は出口管２１内の空気圧力が所定圧力又は最大圧力に達したときに、加圧空気を逃がし、よって、シリンダハウジング１７及び／又は出口管２１が過加圧されるのを防止するために、及び／又は、安全の目的のために、逃し弁３２を他のダクト３０にさらに設け且つ取り付け得る。よって、圧力計３３及びノズル３４及び逃し弁３２を、追加的又は特別な結合部材又は工具なしに、カプラ８５のダクト２８，２９，３０，３１を用いて、出口管２１に容易に且つ直ちに取り付け或いは結合し得る。
【００１６】
ギア４０が、１つ又はそれ以上の軸受及び軸４２を用いて、プレート１１の下部１３に回転可能に取り付けられ、偏心部材４５が、ギア４０の軸４２に固定され、ギア４０と調和して回転され、ピストン７０を往復動作でシリンダハウジング１７に対して動作又は移動するために、そこから延び且つピストン７０のピストンロッド７１に結合されたクランク又は偏心ピン４７を含む。
【００１７】
モータ５０が、ファスナ５１のようなものを用いて、プレート１１の上部１５に取り付けられ或いは固定され得るし（図１、２、及び、７）、プレート１１の上部オリフィス１４内に延びるスピンドル５２を含み（図３及び４）、そのスピンドル５２に固定されたピニオン５３を含み、ギア４０がピニオン５３を介してモータ５０によって回転され或いは駆動されるのを可能にし、よって、ピストン７０が偏心部材４５及び偏心ピン４７によって往復動作でシリンダハウジング１７に対して動作され或いは移動されるのを許容するために、ギア４０と係合される。循環空気又は換気を発生するためにモータ５０によって回転され或いは駆動されるために、モータ５０にファン装置５４をさらに設け且つ結合し得る。
【００１８】
動作中、図３及び４に示されるように、加圧空気を発生し、加圧空気が出口管２１の区画２２に流入するのを許容し、次に、カプラ８５のダクト２８，２９，３０，３１のいずれか又は全てを通じて流出し、よって、シリンダハウジング１７及び／又は出口管２１内の空気圧力が圧力計３３によって検出され且つ表示されることを許容し、ノズル３４を用いて、加圧空気の供給を必要とする装備内に加圧空気が供給されるのを許容し、及び／又は、シリンダハウジング１７及び／又は出口管２１が過加圧され或いは所定圧力又は最高圧力に到達したときに、加圧空気が逃し弁３２を通じて逃がされるのを許容するために、ピストン７０が、ピニオン５３、ギア４０、偏心部材４５、及び、偏心ピン４７を介して、モータ５０によって往復動作でシリンダハウジング１７に対して動作され或いは移動され得る。
【００１９】
図２乃至４及び６に示されるように、カバー２０は、外部空気がシリンダハウジング１７の室１８内に流入するのを許容するために、その内部に形成され且つシリンダハウジング１７の室１８と連絡する入口３６をさらに含み、その底部分に形成され且つその入口３６と連絡する凹部３７を含み、且つ、そこから延び或いはその凹部３７内に延びるキャッチ３８を含む。弁装置８０の一端部又は第一端部８１をカバー２０に取り付け或いは固定するために、弁装置８０は、カバー２０のキャッチ３８と係合され或いは取り付けられた一端部又は第一端部８１を含む。
【００２０】
弁装置８０は、バネブレード構造を含み、或いは、カバー２０の入口３６を付勢、閉塞、又は、密閉するための、並びに、ピストン７０がカバー２０から離れるときに、外部空気がシリンダハウジング１７の室１８内に流入し、且つ、ピストン７０がカバー２０に向かって移動するときに、内部空気がカバー２０の入口３６を通じてシリンダハウジング１７の室１８から流出するのを防止するよう制御する装置又は逆止弁手段を形成し或いは作用するためのバネブレードである。
【００２１】
シリンダハウジング１７は、その外周部分上に形成され或いは設けられた１つ又はそれ以上の、例えば４つのスタッド２３を含み、カバー２０は、カバー２０をシリンダハウジング１７の頂部上に固定し得るファスナ９０を受容するために、その内部に形成され且つシリンダハウジング１７のスタッド２３と選択的に整列される１つ又はそれ以上の、例えば４つの孔又は耳３９を含む。
【００２２】
ファスナ９０がカバー２０をシリンダハウジング１７の頂部上に固定する前に、カバー２０をシリンダハウジング１７に対して異なる角度位置に回転し或いは調節し、よって、カバー２０の入口３６及び出口管２１がシリンダハウジング１７に対して異なる角度位置又は場所に回転され或いは調節されることを許容し、よって、空気圧縮機が多様なレセプタクル又はパッケージに取り付けられ或いは収容されことを許容し得ることが留意されるべきであり、例えば、シリンダハウジング１７に対するカバー２０の異なる位置の状態が図１及び７に示されている。
【００２３】
代替的に、図９乃至１１に示されるように、シリンダハウジング１７は、その室１８の上部を密閉するためにその上に設けられた上壁６０を含み、その内部に形成された入口３６を含み、その内部に形成され且つ周縁フェンス６２によって定められた中心開口６１を含み、封止リング６４を収容するために、その内部に形成され且つ周縁フェンス６２の周りに位置付けられた周縁溝６３を含む。
【００２４】
カバー２０をシリンダハウジング１７の頂部上に固定し得るし、ピストン７０がカバー２０に向かって移動するときに、内部空気がシリンダハウジング１７の室１８から出口管２１の区画２２内に流入するよう制御するために、並びに、ピストン７０がカバー２０から離れる方向に移動するときに、出口管２１の区画２２からシリンダハウジング１７の室１８に逆向きに流入するのを防止するために、バネ付勢された逆止弁２４を出口管２１の区画２２にその下部又は底部分を介して係入し得るし、周縁フェンス６２と係合するよう付勢し得る。
【００２５】
出口管２１の区画２２は、盲区画２２であるのが好ましく、バネ付勢された逆止弁２４と係合するために、且つ、バネ付勢された逆止弁２４を出口管２１の区画２２内に安定的に固定し或いは位置付けるために、出口管２１は、そこから延び且つその区画２２内に延びるペグ６６を含む。封止リング６４は、カバー２０とシリンダハウジング１７の上壁６０との間の気密封止をなすために、シリンダハウジング１７の上壁６０とカバー２０との間に係合される。
【００２６】
シリンダハウジング１７の上壁６０はカバー２０から離間し、よって、空気圧縮機が多様なレセプタクル又はパッケージに取り付けられ或いは収容されるときに、シリンダハウジング１７の上壁６０の入口３６が閉塞され或いは遮蔽されることが防止され得るよう、シリンダハウジング１７の上壁６０の入口３６は、他の物体、レセプタクル、又は、パッケージから外された状態にされていることも留意されるべきである。加えて、空気圧縮機が多様なレセプタクル又はパッケージに取り付けられ或いは収容されるよう、カバー２０のダクト２８，２９，３０，３１及び出口管２１をシリンダハウジング１７に対して異なる角度位置又は場所に回転し或いは調節し得る。
【００２７】
さらに代替的に、図１２乃至１５に示されるように、シリンダハウジング１７のカバー２０は、その内部に形成された入口３６を含まない。代わりに、ピストン７０は、その内部に形成されたボア７３を含み、弁装置８０は、ピストン７０のボア７３を付勢し且つ閉塞し或いは密封するために、並びに、ピストン７０がカバー２０から離れるときに、外部空気がシリンダハウジング１７の室１８に吸気し或いは流入するよう制御し、且つ、ピストン７０がカバー２０に向かって移動するときに、内部空気がピストン７０のボア７３を通じてシリンダハウジング１７の室１８から逆向き又は外向きに流れるのを防止する装置又は逆止弁手段を形成するために、ピストン７０に係合され或いは取り付けられた一端部又は第一端部８１を含む。
【００２８】
さらに代替的に、図１６及び１７に示されるように、シリンダハウジング１７のカバー２０は、その内部に形成された入口を含まず、シリンダハウジング１７の上壁６０も、その内部に形成された入口を含まないが、カバー２０からも離間している。代わりに、ピストン７０は、その内部に形成されたボア７３を含み、弁装置８０は、ピストン７０のボア７３を付勢し且つ閉塞し或いは密閉するために、並びに、ピストン７０がカバー２０から離れるときに、外部空気がシリンダハウジング１７の室１８内に吸気し或いは流入するよう制御し、且つ、ピストン７０がカバー２０に向かって移動するときに、内部空気がピストン７０のボア７３を通じてシリンダハウジング１７の室１８から逆向き又は外向きに流れ或いはシリンダハウジング１７の室１８から流出するのを防止する装置又は逆止弁手段を形成するために、ピストン７０に係合され或いは取り付けられた一端部又は第一端部８１を含む。
【００２９】
図９乃至１７に示されるようなシリンダハウジング１７は、プレート１１から離間され得るし、ファスナ９９のようなものを用いて、異なる構造又は輪郭の異なるシリンダハウジング１７がプレート１１に取り外し可能に或いは可変に固定されるのを可能にするよう、図８に示されるものと類似して、ファスナ９９のようなものを用いて、プレート１１に取り外し可能に固定され得ることが留意されるべきである（図８）。
【００３０】
従って、本発明に従った空気圧縮機は、空気圧縮機の出口管が異なる角度位置又は方向に調節されることを許容するための、並びに、空気圧縮機が多様なレセプタクル又はパッケージに取り付けられ或いは収容されるのを許容するための取り外し可能な或いは可変な構造を含む。
【００３１】
本発明は一定の具体性を持って記載されたが、本開示は例証としてのみなされており、請求されている本発明の精神及び範囲から逸脱することなしに、詳細な構成並びに部品の組み合わせ及び配置における数々の変更を取り得ることが理解されるべきである。
【図面の簡単な説明】
【００３２】
【図１】本発明に従った空気圧縮器を示す斜視図である。
【図２】空気圧縮器を示す部分展開図である。
【図３】図１に類似する斜視図であり、空気圧縮器の内部構造を示すために、空気圧縮器の半分が切り欠かれている。
【図４】図３に類似する斜視図であり、空気圧縮器の動作を例証している。
【図５】空気圧縮器を示す部分斜視図であり、一部の部分又は素子が空気圧縮器から取り外されている。
【図６】空気圧縮器のカバーの底部から見られた部分展開図である。
【図７】図１に類似する斜視図であり、空気圧縮器の動作を例証している。
【図８】空気圧縮器を示すさらなる部分展開図である。
【図９】図２に類似する部分展開図であり、空気圧縮器の他の構成を例証している。
【図１０】図９に示されるような空気圧縮器を示す斜視図であり、空気圧縮器の内部構造を示すために、空気圧縮器の半分が切り欠かれている。
【図１１】図１０に類似する斜視図であり、図９乃至１１に示されるような空気圧縮器の動作を例証している。
【図１２】空気圧縮器の他の構成を例証する斜視図である。
【図１３】図１２に示されるような空気圧縮器を示す部分展開図である。
【図１４】図１２及び１３に示されるような空気圧縮器を示す斜視図であり、空気圧縮器の内部構造を示すために、空気圧縮器の半分が切り欠かれている。
【図１５】図１４に類似する斜視図であり、図１２乃至１５に示されるような空気圧縮器の動作を例証している。
【図１６】図１２に類似する斜視図であり、空気圧縮器のさらなる構成を例証している。
【図１７】図１６に示されるような空気圧縮器を示す部分展開図である。
【符号の説明】
【００３３】
１０    支持ベース
１１    プレート
１２    開口
１３    下部
１４    オリフィス
１５    上部
１６    アーム
１７    シリンダハウジング
１８    室
１９    周壁
２０    カバー
２１    出口管
２２    区画
２３    スタッド
２４    逆止弁
２５    ポート
２６    弁座
２７    キャップ
２８    ダクト
２９    ダクト
３０    ダクト
３１    ダクト
３２    逃し弁
３３    圧力計
３４    ノズル
３６    入口
３７    凹部
３８    キャッチ
３９    耳
４０    ギア
４２    軸
４５    偏心部材
４７    偏心ピン
５０    モータ
５１    ファスナ
５２    スピンドル
５３    ピニオン
５４    ファン装置
６０    上壁
６１    中心開口
６２    周縁フェンス
６３    周縁溝
６４    封止リング
６６    ペグ
７０    ピストン
７１    ピストンロッド
７２    封止リング
７３    ボア
８０    弁装置
８５    カプラ
８８    ホース
９０    ファスナ
９１    封止リング
９２    周縁スロット
９９    ファスナ
【図１】
2007309174.tif 000003
【図２】
2007309174.tif 000004
【図３】
2007309174.tif 000005
【図４】
2007309174.tif 000006
【図５】
2007309174.tif 000007
【図６】
2007309174.tif 000008
【図７】
2007309174.tif 000009
【図８】
2007309174.tif 000010
【図９】
2007309174.tif 000011
【図１０】
2007309174.tif 000012
【図１１】
2007309174.tif 000013
【図１２】
2007309174.tif 000014
【図１３】
2007309174.tif 000015
【図１４】
2007309174.tif 000016
【図１５】
2007309174.tif 000017
【図１６】
2007309174.tif 000018
【図１７】
2007309174.tif 000019